(57)【要約】【課題】一般の既築住宅において、従来型の電話からインターネットを利用した電話への移行に際して、既設の電話設備を利用して、簡易な配線作業で施工可能で、美観を損ねることのない光ファイバーおよび電話線の配線方法を提供する。【解決手段】保安器２０から既設電話回線が配線された宅内に光ファイバーケーブル１５を引き込むもので、ケーブル１５に２本の電話線３１、３２を重ねて宅内に引き込む工程と、ケーブル１５を信号変換器２４を介してルーター２５まで配線する工程と、一方の電話線３１の一端をルーター２５の電話機用端子２５ｃに接続し他方の電話線３２の一端をルーター２５の電話回線用端子２５ｄに接続する工程と、保安器２０の宅内線端子２０ｂから既設電話回線１２を外しそれに電話線３１の他端を室外で接続する工程と、保安器２０の宅内線端子２０ｂに電話線３２の他端を接続する工程を備える。【選択図】図１
2008035089.tif 000002
【特許請求の範囲】
【請求項１】
室外に設けられた保安器の宅内線端子から既設電話回線が配線されてなる宅内に光ファイバーケーブルを引き込み、その光ファイバーケーブルを介して光通信を可能にする光ファイバーおよび電話線の配線方法であって、
前記光ファイバーケーブルに２本の電話線を重ねて前記宅内に引き込む工程と、
前記光ファイバーケーブルを信号変換器を介して、少なくともパソコン用端子、電話機用端子、電話回線用端子を有する中継用ルーターまで配線する工程と、
前記２本の電話線のうち一方の電話線の一端を前記ルーターの電話機用端子に接続するとともに他方の電話線の一端を前記ルーターの電話回線用端子に接続する工程と、
前記保安器の宅内線端子から前記既設電話回線を外し、その外した既設電話回線に前記一方の電話線の他端を室外で接続する工程と、
前記保安器の宅内線端子に、前記他方の電話線の他端を接続する工程と、
を備えることを特徴にする光ファイバーおよび電話線の配線方法。
【請求項２】
前記保安器の宅内線端子から外した前記既設電話回線と前記一方の電話線の他端との接続部を、前記保安器内に納めることを特徴にする請求項１に記載の光ファイバーおよび電話線の配線方法。
【請求項３】
所定時間経過後、前記保安器の宅内線端子に対する前記他方の電話線の他端の接続を外すことを特徴にする請求項１又は２に記載の光ファイバーおよび電話線の配線方法。
【発明の詳細な説明】
【技術分野】
【０００１】
本発明は、既設電話回線を利用してインターネットを利用した電話へ切り替える光ファイバーおよび電話線の配線方法に関するものである。
【背景技術】
【０００２】
近年、インターネットの普及にともない、一般家庭でもＦＴＴＨ（Fiber To The Home）を利用することが可能になってきた。また、光ファイバーの特徴を活かして、ケーブルテレビや、光電話、セキュリティサービスなどの多彩なサービスを受けることができる。
ＦＴＴＨは電話回線やケーブルテレビなどの既存の通信網とは全く異なる、別の通信網である。ＦＴＴＨの利用に際しては、光ファイバーケーブルを電柱などから住宅へ直接引き込み、専用の回線接続装置を設置して、従来の電話機などと接続する工事が必要になる。接続工事では、専用の回線装置と専用のルーターを設置し、専用のルーターから電話機までを電話線で室内配線し、両者を接続する。この工事は、電話機が設置してある場所まで壁や床、天井などを伝ってモールを設置するので、室内の美観を損なうことも多い。
お客さまによっては、室内の美観を損なうという理由で電話線の配線工事を拒否されることもあり、その場合は電話機をルーターと回線接続装置の近くへ移設する必要がある。
また、一般のお客さまには、電話線の配線工事が新規に発生することを、なかなか理解していただけないことが多い。
【０００３】
一方、インターネットを利用した電話へ変更する場合であっても電話番号については、既存の電話番号をそのまま使用したいとの要望が多い。この場合、宅内の電話機と電話局とを既存の電話回線で接続する必要がある。
例えば、一般的には、図３及び図４で示すように、電柱１０（あるいは地下ケーブル）から延びるアナログ式の電話線（メタリックケーブル）１１が室外に設けられた保安器２０の局線端子２０ａに接続され、保安器２０の宅内線端子２０ｂから電話線（メタリックケーブル）１２が宅内側に露出するように設けられた電話用モジュラージャック２１に接続されている。そして、電話用モジュラージャック２１に電話機２２が電話線（メタリックケーブル）１３を介して接続されている。
【０００４】
このように電話機２２が既に設置された一戸建住宅において、新しく光ファイバーケーブルを宅内に配線するときは、電話機２２やパソコン２３等の設置場所の関係から、例えば、図５、図７、図８に示すような態様となる。
図５に示すものは、電話機２２とパソコン２３の設置場所が１階であるなど両者の位置が近い場合の宅内配線である。
電柱１０（あるいは地下ケーブル）から光ファイバーケーブル１５を２階軒下に装着した留め金具を経由して、雨樋などを利用して１階へ配線し、１階の電話用モジュラージャック２１の設置位置に近い部分から引き込まれ、宅内側に設けられた回線接続装置２４に接続される。回線接続装置２４では、光信号と電気信号間の変換が実行される。そして、回線接続装置２４と光電話対応型の中継用ルーター２５とがＬＡＮ（Local Area Network）ケーブル１６で接続される。ＬＡＮケーブル１６は、図６で示すように、ルーター２５に設けられたＷＡＮポート２５ａに接続される。そして、ルーター２５に設けられたＰＣポート２５ｂにパソコン２３がＬＡＮケーブル１７を介して接続されるとともに、同じくルーター２５に設けられた電話機ポート２５ｃに、電話用モジュラージャック２１から外された電話機２２が電話線１３を介して接続される。そして、ルーター２５に設けられた電話回線ポート２５ｄと電話用モジュラージャック２１とが電話線（メタリックケーブル）１４を介して接続される。
【０００５】
これによれば、電話機２２は、電話線１１〜１４を介してルーター２５を経由して電話局まで接続されるので、インターネットを利用した電話へ変更する場合にその電話番号として既存の電話番号をそのまま使用することができる。
【０００６】
しかしながら、電話機２２自体はルーター２５に接続されるため、ルーター２５の設置位置が電話用モジュラージャック２１から離れると電話機２２を既設の位置から移動させなければならないという問題がある。
特に、図７に示すように、光ファイバーケーブル１５を２階から宅内に引き込み、パソコン２３と回線接続装置２４は２階に設置されるが、電話機２２とルーター２５は１階に設置されるというように、電話機２２とパソコン２３の設置場所が大きく離れている場合の宅内配線では、電話機２２の設置位置を変える必要が生じたり、電話機２２の設置位置を変えない場合には、ルーター２５と回線接続装置２４とを接続するＬＡＮケーブル１６と、ルーター２５とパソコン２３とを接続するＬＡＮケーブル１７を延長しなければならない。
また、図８に示すように、光ファイバーケーブル１５を２階から宅内に引き込み、パソコン２３と回線接続装置２４に加えルーター２５は２階に設置されるが、電話機２２は１階に設置されるというように、電話機２２とパソコン２３の設置場所が大きく離れている場合の宅内配線では、図７の場合と同様に電話機２２の設置位置を変える必要が生じたり、電話機２２の設置位置を変えない場合には、ルーター２５と電話機２２とを接続する電話線１３と、ルーター２５と電話用モジュラージャック２１とを接続する電話線１４を延長しなければならない。
このように、ＬＡＮケーブル１７や電話線１３、１４を延長して１、２階間に通すように配線するには穴あけ等を含め配線作業が複雑になりコスト高になるのに加え、ＬＡＮケーブル１７や電話線１４が延長される分、それらを覆うモールも延長されることになるので美観を損ねるといった問題が生じる。
【０００７】
これに対して、配線作業を容易に短時間で行えるように、保安器と光キャビネットとを別々にすることなく、光ファイバーケーブルと電話線とを一体化して宅内に引き込む配線方法が開示されている（例えば、特許文献１参照）。
【特許文献１】特開２００４−２８２８７０号公報
【発明の開示】
【発明が解決しようとする課題】
【０００８】
しかしながら、特許文献１に記載の配線方法では、光ファイバーケーブルと電話線とを一体化した複合ケーブルに接続された情報ボックスは、宅内の１階に設けられるので、その情報ボックスに接続されるパソコンを２階等、情報ボックスから離れた場所に設置する場合には、図７及び図８で示したものと同様に、ＬＡＮケーブルの延長にともなう問題が依然として残る。
【０００９】
そこで本発明の目的とするところは、一般の既築住宅において、従来型の電話からインターネットを利用した電話への移行に際して、既設の電話設備を利用して、簡易な配線作業で施工可能で、美観を損ねることのない光ファイバーおよび電話線の配線方法を提供することにある。
【課題を解決するための手段】
【００１０】
上記の目的を達成するために、請求項１に係る光ファイバーおよび電話線の配線方法は、室外に設けられた保安器の宅内線端子から既設電話回線が配線されてなる宅内に光ファイバーケーブルを引き込み、その光ファイバーケーブルを介して光通信を可能にする光ファイバーおよび電話線の配線方法であって、
前記光ファイバーケーブルに２本の電話線を重ねて前記宅内に引き込む工程と、前記光ファイバーケーブルを信号変換器を介して、少なくともパソコン用端子、電話機用端子、電話回線用端子を有する中継用ルーターまで配線する工程と、前記２本の電話線のうち一方の電話線の一端を前記ルーターの電話機用端子に接続するとともに他方の電話線の一端を前記ルーターの電話回線用端子に接続する工程と、前記保安器の宅内線端子から前記既設電話回線を外し、その外した既設電話回線に前記一方の電話線の他端を室外で接続する工程と、前記保安器の宅内線端子に、前記他方の電話線の他端を接続する工程と、を備えることを特徴にする。
【００１１】
また請求項２に係る発明は、前記保安器の宅内線端子から外した前記既設電話回線と前記一方の電話線の他端との接続部を、前記保安器内に納めることを特徴にする。
また請求項３に記載の発明は、所定時間経過後、前記保安器の宅内線端子に対する前記他方の電話線の他端の接続を外すことを特徴にする。
【発明の効果】
【００１２】
本発明の光ファイバーおよび電話線の配線方法によれば、電話機が接続された既設電話回線は、保安器の宅内線端子から外され、その外した既設電話回線に、ルーターの電話機用端子に一端が接続された電話線（２本の電話線のうち一方の電話線）の他端を室外で接続するので、電話機とルーターとを室内を経由する電話線で直接室内で接続する必要はない。
よって、電話機の位置に左右されることなくルーターの位置を定めることができるので、既設の電話機をまったく移動させることなく、ルーターをパソコンの近くに設けることができる。
また、ルーターと電話機間の接続、及びルーターとパソコン間の接続に使用されるＬＡＮケーブルや電話線を、室内で特に延長することは不要となるので、穴あけや延長にともなうケーブル固定や同じく延長にともなうモールの敷設等の配線作業を行う必要がない。
このように、延長ケーブルにともなう余分な配線作業を行う必要がなくなるので作業が簡素化される。また、モールの敷設も減るのでその分、外観の悪化を防止しうる。
【００１３】
保安器の宅内線端子とルーターの電話回線用端子とは電話線（２本の電話線のうち他方の電話線）で接続され、電話局までの信号ラインは確保される。
よって、光ファイバーケーブルを介し、既設の電話機をインターネットを利用した電話として利用する場合に、電話局側で、既存の電話番号を新規の電話番号として書き替え可能であるので、ユーザは、既存の電話番号をそのまま使用することができる。
【００１４】
また本発明によれば、保安器の宅内線端子から外した既設電話回線と一方の電話線の他端との接続部を、保安器内に納めるので、接続部が風雨等にさらされること無く確実に保護される。
また、本発明によれば、所定時間経過後、保安器の宅内線端子に対する他方の電話線の他端の接続を外すので、接続が簡素化される。
【発明を実施するための最良の形態】
【００１５】
図１及び図２を参照して、本発明の実施形態に係る光ファイバーおよび電話線の配線方法について説明する。なお、従来例と同一部分には同一符号を付した。
この光ファイバーおよび電話線の配線方法は、室外に設けられた保安器２０の宅内線端子２０ｂから既設電話回線が配線されてなる宅内、すなわち、図３で示したように、電話用モジュラージャック２１に電話機２２が電話線（メタリックケーブル）１３を介して接続されている宅内に対して、新たに光ファイバーケーブル１５を信号変換器である回線接続装置２４を介して、ＷＡＮポート２５ａ、ＰＣポート（パソコン用端子）２５ｂ、電話機ポート（電話機用端子）２５ｃ、電話回線ポート（電話回線用端子）２５ｄを有する中継用ルーター２５まで配線し、そのルーター２５のＰＣポート２５ｂに接続されるパソコン２３で光通信を可能にするものであり、電話機２２の設置位置を特に変えることなく施工することができる配線方法である。
【００１６】
図１に示す光ファイバーおよび電話線の配線方法は、１階に設けられた既存の電話機２２に対してパソコン２３を２階に設け、電柱１０（あるいは地下ケーブル）から光ファイバーケーブル１５を宅内の２階に引き込む例を示している。
なお、電柱１０（あるいは地下ケーブル）からはアナログ式の電話線（メタリックケーブル）１１が室外に設けられた保安器２０の局線端子２０ａに接続されている。
【００１７】
本発明の実施形態に係る光ファイバーケーブルの宅内配線は、以下のような工程にしたがって施工される。
（１）まず、光ファイバーケーブル１５を宅内に引き込むときに２本の電話線（メタリックケーブル）３１、３２を１本の光ファイバーケーブル１５に重ねた状態にして宅内に引き込む。このように、３本のケーブルを束にするのは、配線を整然として施工を容易化するとともに美観を特に害さないようにするためである。なお、光ファイバーケーブル１５と２本の電話線３１、３２とを束ねて一体化した複合ケーブルを使用してもよい。
（２）次に、引き込んだ３本のケーブルのうち、光ファイバーケーブル１５を信号変換器である回線接続装置２４を介してルーター２５に接続する。より、具体的には、光ファイバーケーブル１５を回線接続装置２４に接続し、回線接続装置２４に一端を接続したＬＡＮケーブル１６の他端をルーター２５のＷＡＮポート２５ａに接続する。回線接続装置２４は、光信号と電気信号間の変換を行うものであり、宅内に設けられる。
【００１８】
（３）次に、２本の電話線３１、３２のうち一方の電話線３１の一端をルーター２５の電話機ポート２５ｃに接続するとともに他方の電話線３２の一端をルーター２５の電話回線ポート２５ｄに接続する。
（４）次に、保安器２０の２次側となる宅内線端子２０ｂから既設電話回線、すなわち、宅内線端子２０ｂと電話用モジュラージャック２１を接続する電話線（メタリックケーブル）１２を宅内線端子２０ｂから外し、その外した電話線１２に一方の電話線３１の他端を室外で接続する。
電話線１２と電話線３１との接続部４０は、図２に示すように、保安器２０の内側に納められることにより保護される。
（５）次に、保安器２０の宅内線端子２０ｂに、他方の電話線３２の他端を接続する。
これにより、光ファイバーケーブルの宅内配線が完了する。
その後、ルーター２５のＰＣポート２５ｂとパソコン２３とをＬＡＮケーブル１７で接続すると、パソコン２３で光ファイバーケーブル１５を使用しても光通信が可能となる。なお、ＬＡＮケーブル１７によるルーター２５のＰＣポート２５ｂとパソコン２３との間の接続は、光ファイバーケーブルの宅内配線が完了すると同時に配線工事業者が行ってもよく、あるいは、後日、ユーザがパソコン２３を手に入れたときにユーザ自身が行ってもよい。
【００１９】
このように構成された光ファイバーおよび電話線の配線方法によれば、電話機２２とルーター２５とは室内を経由する電話線で直接室内で接続されるものではなく、光ファイバーケーブル１５とともに重ねて引き込まれる２本の電話線３１、３２のうち一方の電話線３１と電話用モジュラージャック２１から延びる電話線１２とが室外、より具体的には室外に設けられた保安器２０の中で接続されるので、電話機２２の位置をルーター２５の位置に接近させる必要はない。
よって、電話機２２の位置に左右されることなくルーター２５の位置を定めることができるので、既設の電話機２２をまったく移動させることなく、ルーター２５をパソコン２３の近くに、例えば、図１で示すように、電話機２２を住宅の１階に設け、パソコン２３を２階、あるいは、同じ１階でも電話機２２が設けられた部屋とは別の部屋にパソコン２３を設けることができる。
また、ルーター２５と電話機２２間の接続、及びルーター２５とパソコン２３間の接続に使用されるＬＡＮケーブル１７や電話線１３、１４を、従来例（図７、図８）で示したように、室内で特に延長することは不要となるので、穴あけや延長にともなうケーブル固定や同じく延長にともなうモールの敷設等の配線作業を行う必要がない。
【００２０】
また、電話機２２は電話線１３、１２、３１を介してルーター２５に接続され、ルーター２５は電話線３２を介して保安器２０に接続され、保安器２０は従来通り、電話線１１を介して電柱１０に接続され、電話局までの信号ラインは確保されている。よって、光ファイバーケーブル１５を介し、電話局側で、番号ポータビリティによる電話番号の書き換えを行うと、既存の電話番号がインターネットを利用した電話の電話番号として使用することができる。
なお、電話局側で既存の電話番号が書き替えられた後に、保安器２０の宅内線端子２０ｂに接続された他方の電話線３２の他端の接続を外す配線工事を行ってもよい。この場合、電話機２２をその後、特に支障なくインターネットを利用した電話として利用することができる。
【００２１】
なお、本発明の実施形態に係る光ファイバーおよび電話線の配線方法として、上記（１）〜（５）の工程を示したが、それら工程を（１）から（５）の順番にしたがって行わなければならないものではなく、宅内配線方法として、上記（１）〜（５）の工程を備えるものであればよい。
【００２２】
また、本実施形態では、信号変換器として回線接続装置２４を使用したが、光信号と電気信号を相互に変換しうるものであれば特にこれに限定されるものではない。
また、回線接続装置２４とルーター２５とを別体型として両者をＬＡＮケーブル１６で接続するようにしたが、回線接続装置２４とルーター２５とを一体型、すなわち、回線接続装置２４の機能とルーター２５の機能を持ち合わせたルーターを使用することもできる。
【図面の簡単な説明】
【００２３】
【図１】本発明の実施形態に係る光ファイバーケーブルの宅内配線の概要を示す構成図である。
【図２】図１に示す保安器内の接続状態を示す構成図である。
【図３】一般的な住宅の電話配線の概要を示す構成図である。
【図４】図３に示す保安器内の接続状態を示す構成図である。
【図５】本発明の従来例に係る光ファイバーケーブルの宅内配線の概要を示す構成図である。
【図６】ルーターを示す外観側面図である。
【図７】本発明の従来例に係る別の光ファイバーケーブルの宅内配線の概要を示す構成図である。
【図８】本発明の従来例に係るさらに別の光ファイバーケーブルの宅内配線の概要を示す構成図である。
【符号の説明】
【００２４】
１０      電柱
１１      電話線
１２      電話線
１３      電話線
１４      電話線
１５      光ファイバーケーブル
１６      ＬＡＮケーブル
１７      ＬＡＮケーブル
２０      保安器
２０ａ    局線端子
２０ｂ    宅内線端子
２０ｃ    基盤
２１      電話用モジュラージャック
２２      電話機
２３      パソコン
２４      回線接続装置（信号変換器）
２５      ルーター
２５ａ    ＷＡＮポート
２５ｂ    ＰＣポート（パソコン用端子）
２５ｃ    電話機ポート（電話機用端子）
２５ｄ    電話回線ポート（電話回線用端子）
３１      電話線
３２      電話線
４０      接続部
５０      留め金具
【図１】
2008035089.tif 000003
【図２】
2008035089.tif 000004
【図３】
2008035089.tif 000005
【図４】
2008035089.tif 000006
【図５】
2008035089.tif 000007
【図６】
2008035089.tif 000008
【図７】
2008035089.tif 000009
【図８】
2008035089.tif 000010